(57)【要約】【課題】電子辞書装置で、追加インストールした辞書データを本体内蔵の辞書データに基づき簡便に辞書検索を行う場合と同じ使い勝手にして利用できるよう、簡単に設定する。【解決手段】例えばＣＤ−ＲＯＭからインストールして追加辞書（ライブラリ）データメモリに記憶させた各追加の辞書データを「ライブラリキー」の操作により辞書選択ライブラリ画面Ｇ３として一覧表示させる。キー位置設定すべき所望の追加の辞書タイトル（例えば「[2]現代用語事典」）をカーソルＫにより選択指定して「設定キー１７ｑ」を操作し、当該指定の追加辞書「現代用語事典」の起動キーとすべき所望のキー（例えばシフト１７ｓ＋「リーダーズ（コンテンツ１）」１７a2）を操作すると、辞書キー（シフト後）位置テーブルの該辞書指定キー「リ＊ダーズ（コンテンツ１）」１７a2に対応した起動の辞書として前記指定の追加辞書「現代用語事典」がキー位置設定される。【選択図】      図１０
2006099413.tif 000002
【特許請求の範囲】
【請求項１】
内蔵された複数の辞書データにそれぞれ対応する複数の辞書キーを有し、当該辞書キーの操作に応じて対応する辞書データの情報を表示する情報表示制御装置であって、
追加の辞書データを受信する追加辞書受信手段と、
この追加辞書受信手段により受信された追加の辞書データを記憶する追加辞書記憶手段と、
前記複数の辞書キーのうちで内蔵された辞書データが予め対応付けされていないところの辞書キーの操作に応答して当該辞書キーに対応付けて前記追加辞書記憶手段により記憶された追加の辞書データの起動の設定を行う追加辞書キー位置設定手段と、
この追加辞書キー位置設定手段により設定された辞書キーの操作に応答して当該辞書キーに対応付けられて前記追加辞書記憶手段により記憶された追加の辞書データを起動させる追加辞書起動制御手段と、
を備えたことを特徴とする情報表示制御装置。
【請求項２】
さらに、
内蔵された複数の辞書データそれぞれのタイトルを一覧にして表示させる辞書メニュー表示制御手段と、
この辞書メニュー表示制御手段による一覧表示の配列位置にそれぞれ対応付けて該当位置にタイトル表示させる辞書データを設定するメニュー位置設定手段と、
前記追加辞書記憶手段により記憶された追加の辞書データのタイトルを前記辞書メニュー表示制御手段により前記内蔵された複数の辞書データそれぞれのタイトルと共に一覧にして表示させるために、前記メニュー位置設定手段により当該追加の辞書データの一覧表示の配列位置を追加して設定するメニュー位置追加設定手段と、
前記辞書メニュー表示制御手段により一覧表示された複数の辞書データのタイトルの中から１つの辞書タイトルが選択された際に、当該選択された一覧表示の配列位置に対応付けられて前記メニュー位置設定手段または前記メニュー位置追加設定手段により設定された辞書データを起動させるメニュー選択辞書起動制御手段と、
を備えたことを特徴とする請求項１に記載の情報表示制御装置。
【請求項３】
さらに、
前記複数の辞書キーのそれぞれに対応する内蔵の辞書データのタイトルおよび前記追加辞書キー位置設定手段により設定された追加の辞書データのタイトルを当該各辞書キーの位置に合わせて表示させる辞書タイトル表示制御手段を備えたことを特徴とする請求項１または請求項２に記載の情報表示制御装置。
【請求項４】
さらに、シフトキーを備え、
前記追加辞書キー位置設定手段は、前記シフトキーを伴う前記辞書キーの操作に応答して当該シフトキーを伴う辞書キーに対応付けて前記追加辞書記憶手段により記憶された追加の辞書データの起動の設定を行い、
前記追加辞書起動制御手段は、前記追加辞書キー位置設定手段により設定されたシフトキーを伴う辞書キーの操作に応答して当該シフトキーを伴う辞書キーに対応付けられて前記追加辞書記憶手段により記憶された追加の辞書データを起動させ、
前記シフトキーを伴う辞書キーに対応して前記追加辞書キー位置設定手段により設定された追加の辞書データのタイトルを当該シフトキーの操作に伴い対応する辞書キーの位置に合わせて表示させるシフト時辞書タイトル表示制御手段を備えたことを特徴とする請求項１または請求項２に記載の情報表示制御装置。
【請求項５】
内蔵された複数の辞書データにそれぞれ対応する複数の辞書キーを有し、当該辞書キーの操作に応じて対応する辞書データの情報を表示する情報表示制御装置のコンピュータを制御するための情報表示制御プログラムであって、
前記コンピュータを、
追加の辞書データを受信する追加辞書受信手段、
この追加辞書受信手段により受信された追加の辞書データをメモリに記憶させる追加辞書記憶手段、
前記複数の辞書キーのうちで内蔵された辞書データが予め対応付けされていないところの辞書キーの操作に応答して当該辞書キーに対応付けて前記追加辞書記憶手段によりメモリに記憶された追加の辞書データの起動の設定を行う追加辞書キー位置設定手段、
この追加辞書キー位置設定手段により設定された辞書キーの操作に応答して当該辞書キーに対応付けられて前記追加辞書記憶手段によりメモリに記憶された追加の辞書データを起動させる追加辞書起動制御手段、
として機能させるようにしたコンピュータ読み込み可能な情報表示制御プログラム。
【発明の詳細な説明】
【技術分野】
【０００１】
本発明は、電子データ化した種々の辞書データベースを記憶して各種の言語訳や語句の意味内容などを検索するための情報表示制御装置および情報表示制御プログラムに関する。
【背景技術】
【０００２】
従来から、国語辞典，英和辞典，百科事典などの各種の辞典や辞書を電子データ化してＲＯＭなどの記憶媒体に格納し、これに基づき各種の言語や語句を見出し語として入力し、その訳語や意味内容などを検索して表示するようにした電子辞書装置が広く汎用されている。
【０００３】
そして、近年このような電子辞書装置では、例えばユーザのレベルアップや利用分野の変化などによって新たな辞典，辞書データベースが必要になった場合に、所望の辞書データベースが記録され販売されているＣＤ−ＲＯＭを購入してＰＣ(personal computer)を介し追加インストールしたり、インターネット上に開設されている電子辞書メーカの管理サイトからＰＣを介し所望の辞書データベースをダウンロードにより購入して追加インストールしたりできるようにしている。こうすることで、電子辞書装置それ自体の別機種への買い換えを行わずに済むようにしている。
【０００４】
ここで、電子辞書装置に対して外部から追加インストールされた辞書データベースは、当該電子辞書装置の内部において機能拡張用のメモリ領域や外付けされる拡張メモリなどの追加辞書専用のメモリ領域に格納される。このため、追加した辞書データを利用する場合には、前記追加辞書専用のメモリ領域にアクセスするための特別なキー操作が必要で操作が煩雑となり、本体内蔵の辞書データに基づいて簡便に辞書検索を行う場合と同様の使い勝手が得られない問題がある。
【０００５】
一方、外部データを簡単な操作で取り込み利用できるようにした通信端末装置として、複数のワンタッチキーにそれぞれ対応付けて外部データの取込先であるアクセス先のリンク情報を登録し、ワンタッチのキー操作で対応するアクセス先から外部データをダウンロードして利用することのできる通信端末装置も考えられている（例えば、特許文献１参照。）。
【特許文献１】特開２００３−１６３７８２号公報
【発明の開示】
【発明が解決しようとする課題】
【０００６】
しかしながら、前記特許文献１にある従来の通信端末装置では、ワンタッチキーによるワンタッチ操作によってその場で必要とする外部データをダウンロードして利用することはできるものの、これは一旦端末装置で取り込んで格納した外部データを必要に応じて読み出して利用するというものではない。従って、この通信端末装置のデータダウンロード機能を前記電子辞書装置に適用した場合でも、内蔵されていない辞書データをワンタッチのキー操作でダウンロードして利用できるようになるだけであり、本体内蔵の辞書データに基づいて辞書検索を行う場合と同じ使い勝手にはなり得ないばかりでなく、常にアクセス先との通信を行う通信機能を備えている必要がある。
【０００７】
本発明は、このような課題に鑑みなされたもので、追加インストールした辞書データを本体内蔵の辞書データに基づき簡便に辞書検索を行う場合と同じ使い勝手にして利用できるよう、簡単に設定することが可能になる情報表示制御装置および情報表示制御プログラムを提供することを目的とする。
【課題を解決するための手段】
【０００８】
本発明の請求項１に記載の情報表示制御装置では、内蔵された複数の辞書データにそれぞれ対応する複数の辞書キーを有し、当該辞書キーの操作に応じて対応する辞書データの情報を表示するもので、追加辞書受信手段により受信された追加の辞書データが追加辞書記憶手段により記憶された後、前記複数の辞書キーのうちで内蔵された辞書データが予め対応付けされていないところの辞書キーを操作すると、追加辞書キー位置設定手段によってこの辞書キー操作に応答して当該辞書キーに対応付けて前記追加辞書記憶手段により記憶された追加の辞書データの起動の設定が行われる。そして、この追加辞書キー位置設定手段により設定された辞書キーが操作されると、追加辞書起動制御手段によって、この辞書キー操作に応答して当該辞書キーに対応付けられて前記追加辞書記憶手段により記憶された追加の辞書データが起動される。
【０００９】
これによれば、追加の辞書データを外部から受信インストール後、複数の辞書キーのうちで辞書データが未設定の辞書キーを操作するだけで、この辞書キー操作に応答して該辞書キーを前記追加の辞書データを起動させる辞書キーとして設定できることになる。
【００１０】
本発明の請求項２に記載の情報表示制御装置では、前記請求項１に記載の情報表示制御装置にあって、さらに、内蔵された複数の辞書データそれぞれのタイトルを一覧にして表示させる辞書メニュー表示制御手段と、この辞書メニュー表示制御手段による一覧表示の配列位置にそれぞれ対応付けて該当位置にタイトル表示させる辞書データを設定するメニュー位置設定手段とを備え、前記追加辞書記憶手段により記憶された追加の辞書データのタイトルを前記辞書メニュー表示制御手段により前記内蔵された複数の辞書データそれぞれのタイトルと共に一覧にして表示させるために、メニュー位置追加設定手段によって前記メニュー位置設定手段による当該追加の辞書データの一覧表示の配列位置を追加して設定する。そして、前記辞書メニュー表示制御手段により一覧表示された複数の辞書データのタイトルの中から１つの辞書タイトルが選択された際には、メニュー選択辞書起動制御手段によって当該選択された一覧表示の配列位置に対応付けられて前記メニュー位置設定手段または前記メニュー位置追加設定手段により設定された辞書データが起動される。
【００１１】
これによれば、受信インストールされた追加の辞書データを、各内蔵辞書の辞書タイトルと共に一覧表示するメニュー選択画面上に共に配列して選択表示できることになる。
【００１２】
本発明の請求項３に記載の情報表示制御装置では、前記請求項１または請求項２に記載の情報表示制御装置にあって、さらに、前記複数の辞書キーのそれぞれに対応する内蔵の辞書データのタイトルおよび前記追加辞書キー位置設定手段により設定された追加の辞書データのタイトルを当該各辞書キーの位置に合わせて表示させる辞書タイトル表示制御手段を備えた。
【００１３】
これによれば、複数の辞書キーにそれぞれ対応付けられた内蔵の辞書データのタイトルおよび追加の辞書データのタイトルを、当該辞書キーの位置に対応付けて容易に確認できることになる。
【００１４】
本発明の請求項４に記載の情報表示制御装置では、前記請求項１または請求項２に記載の情報表示制御装置にあって、さらに、シフトキーを備え、前記追加辞書キー位置設定手段は、前記シフトキーを伴う前記辞書キーの操作に応答して当該シフトキーを伴う辞書キーに対応付けて前記追加辞書記憶手段により記憶された追加の辞書データの起動の設定を行い、前記追加辞書起動制御手段は、前記追加辞書キー位置設定手段により設定されたシフトキーを伴う辞書キーの操作に応答して当該シフトキーを伴う辞書キーに対応付けられて前記追加辞書記憶手段により記憶された追加の辞書データを起動させる。そして、前記シフトキーを伴う辞書キーに対応して前記追加辞書キー位置設定手段により設定された追加の辞書データのタイトルをシフト時辞書タイトル表示制御手段によって当該シフトキーの操作に伴い対応する辞書キーの位置に合わせて表示させる。
【００１５】
これによれば、追加の辞書データを外部から受信インストール後、シフトキーを伴い辞書キーを操作するだけで、このシフトキーを伴う辞書キー操作に応答して該シフト操作時の辞書キーを前記追加の辞書データを起動させる辞書キーとして設定でき、しかもこのシフト操作時の辞書キーに対応付けられた追加の辞書データのタイトルを、当該辞書キーの位置に対応付けて容易に確認できることになる。
【発明の効果】
【００１６】
本発明の請求項１（請求項５）に記載の情報表示制御装置（情報表示制御プログラム）によれば、追加の辞書データを外部から受信インストール後、複数の辞書キーのうちで辞書データが未設定の辞書キーを操作するだけで、この辞書キー操作に応答して該辞書キーを前記追加の辞書データを起動させる辞書キーとして設定できるようになる。
【００１７】
本発明の請求項２に記載の情報表示制御装置によれば、前記請求項１に記載の情報表示制御装置にあって、さらに、受信インストールされた追加の辞書データを、各内蔵辞書の辞書タイトルと共に一覧表示するメニュー選択画面上に共に配列して選択表示できるようになる。
【００１８】
本発明の請求項３に記載の情報表示制御装置によれば、前記請求項１または請求項２に記載の情報表示制御装置にあって、さらに、複数の辞書キーにそれぞれ対応付けられた内蔵の辞書データのタイトルおよび追加の辞書データのタイトルを、当該辞書キーの位置に対応付けて容易に確認できるようになる。
【００１９】
本発明の請求項４に記載の情報表示制御装置によれば、前記請求項１または請求項２に記載の情報表示制御装置にあって、さらに、追加の辞書データを外部から受信インストール後、シフトキーを伴い辞書キーを操作するだけで、このシフトキーを伴う辞書キー操作に応答して該シフト操作時の辞書キーを前記追加の辞書データを起動させる辞書キーとして設定でき、しかもこのシフト操作時の辞書キーに対応付けられた追加の辞書データのタイトルを、当該辞書キーの位置に対応付けて容易に確認できるようになる。
【００２０】
よって、本発明によれは、追加インストールした辞書データを本体内蔵の辞書データに基づき簡便に辞書検索を行う場合と同じ使い勝手にして利用できるよう、簡単に設定することが可能になる情報表示制御装置および情報表示制御プログラムを提供できる。
【発明を実施するための最良の形態】
【００２１】
以下図面により本発明の実施の形態について説明する。
【００２２】
図１は本発明の情報表示制御装置の実施形態に係る携帯機器（電子辞書）１０の電子回路の構成を示すブロック図である。
【００２３】
この携帯機器（電子辞書）１０は、以下に説明する電子辞書機能を備えたＰＤＡ(personal digital assistant)や携帯電話として構成されるか、電子辞書専用の携帯機器として構成される。この携帯機器（電子辞書）１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００２４】
ＣＰＵ１１は、メモリ１２内に予め記憶された装置制御プログラム、あるいはＣＤ−ＲＯＭなどの外部記録媒体１３から記録媒体読取部１４を介して前記メモリ１２に読み込まれた装置制御プログラム、あるいはインターネットＮ上のＷｅｂサーバ（この場合はプログラムサーバ）から電送制御部１５を介して前記メモリ１２に読み込まれた装置制御プログラム、あるいは同インターネットＮ上のＷｅｂサーバ（プログラムサーバ）からユーザＰＣ(personal computer)２０および通信部１６を介して前記メモリ１２に読み込まれた装置制御プログラムに応じて、回路各部の動作を制御するもので、前記メモリ１２に記憶された装置制御プログラムは、キーやタッチパネルからなる入力部１７からのユーザ操作に応じた入力信号、あるいは電送制御部１５や通信部１６を介して接続されるインターネットＮ上の各Ｗｅｂサーバ３０…やユーザＰＣ２０との通信信号に応じて起動される。
【００２５】
前記ＣＰＵ１１には、前記メモリ１２、記録媒体読取部１４、電送制御部１５、通信部１６、入力部１７が接続される他に、ＬＣＤからなる表示部１８などが接続される。
【００２６】
メモリ１２には、当該携帯機器（電子辞書）１０の全体の動作を司るシステムプログラムや電送制御部１５（通信部１６）を介してインターネットＮ上の各Ｗｅｂサーバ３０…とデータ通信するための通信プログラムが記憶される他に、新たに必要な辞書データをＣＤ−ＲＯＭ（記録媒体２３）からユーザＰＣ２０を介してインストールしたり、辞書管理サーバ３０から直接ダウンロードしたりして取り込み、内蔵の辞書データ（１２ｃ）を使用する場合と同様の使い勝手に設定するための辞書追加処理プログラム１２ａ、内蔵の辞書データ（１２ｃ）および追加の辞書データ（１２ｈ）に基づき見出し語入力に応じた訳語や意味内容などの各種検索処理を行うための検索処理プログラム１２ｂが記憶される。
【００２７】
また、このメモリ１２には、内蔵辞書データメモリ１２ｃ、辞書キー位置テーブル１２ｄ、辞書キー（シフト後）位置テーブル１２ｅ、メニュー位置テーブル１２ｆ、追加辞書（リイブラリ）位置テーブル１２ｇ、追加辞書（ライブラリ）データメモリ１２ｈ、ワークエリア１２ｉが用意され、さらに電子辞書追加情報メモリ１２ｊなどが用意される。
【００２８】
内蔵辞書データメモリ１２ｃには、例えばこの携帯機器（電子辞書）１０の一般購入者層に応じたレベルの国語辞典や英和辞典など、各種の辞書データが予め記憶されて内蔵されるもので、国語系辞書は「国語辞典」「分野別国語辞典」「漢和辞典」、リ＊ダーズ系辞書は「リ＊ダーズ」、英英辞書系は「英英辞典」「英語類語辞典」、英和系辞書は「英和辞典」、和英系辞書は「和英辞典」などとされる。
【００２９】
辞書キー位置テーブル１２ｄには、この携帯機器（電子辞書）１０の入力部１７に設けられた各辞書指定キー１７a1〜１７a5（図１３参照）について、当該キー操作により直接指定して検索対象辞書として起動される辞書名が対応付けられて記憶される。
【００３０】
図３は前記携帯機器（電子辞書）１０のメモリ１２にて管理される辞書キー位置テーブル１２ｄの一例を示す図である。
【００３１】
すなわち、内蔵辞書データメモリ１２ｃに予め記憶内蔵された各辞書データの内容が前述の通りである場合には、辞書キー位置テーブル１２ｄにおいて、辞書指定キー「国語」１７a1には「国語辞典」、辞書指定キー「リ＊ダーズ」１７a2には「リ＊ダーズ辞典」、辞書指定キー「英英」１７a3には「英英辞典」、辞書指定キー「英和」１７a4には「英和辞典」、辞書指定キー「和英」１７a5には「和英辞典」がそれぞれ対応付けられて設定される。
【００３２】
辞書キー（シフト後）位置テーブル１２ｅには、この携帯機器（電子辞書）１０の入力部１７に設けられた各辞書指定キー１７a1〜１７a5およびシフトキー１７ｓ（図１３参照）について、当該シフトキー１７ｓの操作によるシフト機能状態での各辞書指定キー１７a1〜１７a5のキー操作によりシフト指定して検索対象辞書として起動される辞書名が対応付けられて記憶される。
【００３３】
図４は前記携帯機器（電子辞書）１０のメモリ１２にて管理される辞書キー（シフト後）位置テーブル１２ｅの一例を示す図であり、同図（Ａ）は追加の辞書が無い状態でのシフト後位置テーブル１２ｅを示す図、同図（Ｂ）は追加の辞書が有る状態でのシフト後位置テーブル１２ｅを示す図である。
【００３４】
すなわち、内蔵辞書データメモリ１２ｃに予め記憶内蔵された各辞書データの内容が前述の通りであり、また追加辞書（ライブラリ）データメモリ１２ｈにおける追加の辞書データの何れも辞書キー（シフト後）位置テーブル１２ｅにキー設定されていない場合には、図４（Ａ）に示すように、当該辞書キー（シフト後）位置テーブル１２ｅにおいて、シフト＋辞書指定キー「国語（シフト後「分野別」）」１７a1には「分野別国語辞典」、辞書指定キー「英和（シフト後「英語類語」）」１７a4には「英語類語辞典」、辞書指定キー「和英（シフト後「漢和」）」１７a5には「漢和辞典」がそれぞれ対応付けられて設定され、辞書指定キー「リ＊ダーズ（シフト後「コンテンツ１」）」１７a2、辞書指定キー「英英（シフト後「コンテンツ２」）」１７a3には何も設定されない。
【００３５】
そして、例えばＣＤ−ＲＯＭ（外部記録媒体２３）からユーザＰＣ２０を介した読み込みあるいは辞書管理サーバ３０からのダウンロードにより追加辞書（ライブラリ）データメモリ１２ｈに記憶された各追加辞書データ「[1]ジ＊ニアス和英辞典」「[2]現代用語事典」「[3]ロングマン・ロジェ」「[4]全訳古語辞典」「[5]百科事典」「[6]アクテベータ」「[7]ジ＊ニアス英和辞典」（図１０（Ａ）参照）のうち、例えば「[2]現代用語事典」について前記辞書キー（シフト後）位置テーブル１２ｅの辞書指定キー「リ＊ダーズ（シフト後「コンテンツ１」）」１７a2にキー設定された場合には、図４（Ｂ）に示すように、辞書キー（シフト後）位置テーブル１２ｅにおいて、シフト１７ｓ＋辞書指定キー「リ＊ダーズ（シフト後「コンテンツ１」）」１７a2には「[2]現代用語事典」が追加で対応付けられて設定される。
【００３６】
なお、この辞書キー（シフト後）位置テーブル１２ｅにおけるシフト１７ｓ＋辞書指定キー「リ＊ダーズ（シフト後「コンテンツ１」）」１７a2やシフト１７ｓ＋辞書指定キー「英英（シフト後「コンテンツ２」）」１７a3に対する追加の辞書データとの対応付けの操作は後述するが、簡単なキー操作によって行うことが可能である。
【００３７】
メニュー位置テーブル１２ｆには、この携帯機器（電子辞書）１０の入力部１７に設けられたメニューキー１７ｍ（図１３参照）の操作に伴う辞書選択メニュー画面Ｍ（図１４参照）について、当該辞書選択メニュー画面Ｍ内でカーソル指定して検索対象辞書として起動される辞書名が対応付けられて記憶される。
【００３８】
図５は前記携帯機器（電子辞書）１０のメモリ１２にて管理されるメニュー位置テーブル１２ｆの一例を示す図であり、同図（Ａ）は追加の辞書が無い状態でのメニュー位置テーブル１２ｆを示す図、同図（Ｂ）は追加の辞書が有る状態でのメニュー位置テーブル１２ｆを示す図である。
【００３９】
すなわち、内蔵辞書データメモリ１２ｃに予め記憶内蔵された各辞書データの内容が前述の通りであり、また追加辞書（ライブラリ）データメモリ１２ｈにおける追加の辞書データの何れもメニュー位置テーブル１２ｆにキー設定されていない場合には、図５（Ａ）に示すように、メニュー位置テーブル１２ｆにおいて、メニューキー１７ｍ（図１３参照）の操作に伴い表示される辞書選択メニュー画面Ｍには、「[A]国語辞典」「[B]分野別国語辞典」「[C]リ＊ダーズ」「[D]英英辞典」「[E]英和辞典」「[F]和英辞典」「[G]英語類語辞典」「[H]漢和辞典」が順次配列されて設定される。
【００４０】
そして、例えばＣＤ−ＲＯＭ（外部記録媒体２３）からユーザＰＣ２０を介した読み込みあるいは辞書管理サーバ３０からのダウンロードにより追加辞書（ライブラリ）データメモリ１２ｈに記憶された各追加辞書データ「[1]ジ＊ニアス和英辞典」「[2]現代用語事典」「[3]ロングマン・ロジェ」「[4]全訳古語辞典」「[5]百科事典」「[6]アクテベータ」「[7]ジ＊ニアス英和辞典」（図１０（Ａ）参照）のうち、例えば「[2]現代用語事典」について前記辞書キー（シフト後）位置テーブル１２ｅへのキー設定と共に本メニュー位置テーブル１２ｆへのキー設定が行われた場合には、図５（Ｂ）に示すように、メニュー位置テーブル１２ｆにおいて、メニューキー１７ｍ（図１３参照）の操作に伴い表示される辞書選択メニュー画面Ｍには、前記内蔵辞書データメモリ１２ｃに記憶された各内蔵の辞書データ「[A]国語辞典」〜「[H]漢和辞典」に続けて、さらに追加辞書（ライブラリ）データメモリ１２ｇに記憶された追加の辞書データ「[Ｉ]現代用語事典」が配列されて設定される。
【００４１】
なお、このメニュー位置テーブル１２ｆに対する追加の辞書データのキー位置設定操作は後述するが、前記辞書キー（シフト後）位置テーブル１２ｅに対する追加の辞書データのキー位置設定に伴い自動で実行される。
【００４２】
追加辞書（ライブラリ）位置テーブル１２ｇには、この携帯機器（電子辞書）１０の入力部１７に設けられた「ライブラリ」キー（シフト１７ｓ＋メニュー１７ｍ）（図１３参照）の操作に伴う辞書選択ライブラリ画面Ｇ３（図１０（Ａ）参照）について、当該辞書選択ライブラリ画面Ｇ３内でカーソル指定して検索対象辞書として起動される追加の辞書データの辞書名が対応付けられて記憶される。
【００４３】
図６は前記携帯機器（電子辞書）１０のメモリ１２にて管理される追加辞書（ライブラリ）位置テーブル１２ｇの一例を示す図である。
【００４４】
すなわち、追加辞書（ライブラリ）データメモリ１２ｈに外部からインストールされて記憶された各追加の辞書データの内容が、例えば「[1]ジ＊ニアス和英辞典」「[2]現代用語事典」「[3]ロングマン・ロジェ」「[4]全訳古語辞典」「[5]百科事典」「[6]アクテベータ」「[7]ジ＊ニアス英和辞典」（図１０（Ａ）参照）である場合には、図６に示すように、追加辞書（ライブラリ）位置テーブル１２ｇにおいて、「ライブラリ」キー（シフト１７ｓ＋メニュー１７ｍ）（図１３参照）の操作に伴い表示される辞書選択ライブラリ画面Ｇ３には、「[Ａ]ジ＊ニアス和英辞典」〜「[Ｇ]ジ＊ニアス英和辞典」が順次配列されて設定される。
【００４５】
追加辞書（ライブラリ）データメモリ１２ｈには、本携帯機器（電子辞書）１０の購入後に、例えばＣＤ−ＲＯＭ（外部記録媒体２３）からユーザＰＣ２０を介した読み込み、あるいは辞書管理サーバ３０からのダウンロードによりインストールされた各追加の辞書データが記憶されるもので、前述した通り、例えば各追加の辞書データの内容は、「[1]ジ＊ニアス和英辞典」「[2]現代用語事典」「[3]ロングマン・ロジェ」「[4]全訳古語辞典」「[5]百科事典」「[6]アクテベータ」「[7]ジ＊ニアス英和辞典」とされる。
【００４６】
ワークエリア１２ｉには、前記辞書追加処理プログラム１２ａや検索処理プログラム１２ｂなどの各種の装置制御処理プログラムに従いＣＰＵ１１に入出力される種々のデータが必要に応じて記憶される。
【００４７】
電子辞書追加情報メモリ１２ｊには、前記辞書追加処理プログラム１２ａに従った辞書追加処理に伴いユーザＰＣ２０を介してあるいは辞書管理サーバ３０から通知される当該携帯機器（電子機器）１０に対する追加可能な辞書タイトルとその辞書データの容量などの情報が記憶される（図９（Ｂ）参照）。
【００４８】
図２は前記携帯機器（電子辞書）１０での辞書追加処理に伴い通信部１６介してアクセスされるユーザＰＣ２０の電子回路の構成を示すブロック図である。
【００４９】
このユーザＰＣ（通信機器）２０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００５０】
ＣＰＵ２１は、メモリ２２内に予め記憶されたＰＣ制御プログラム２２ａ、あるいはＣＤ−ＲＯＭなどの外部記録媒体２３から記録媒体読取部２４を介して前記メモリ２２に読み込まれたＰＣ制御プログラム２２ａ、あるいはインターネットＮ上のＷｅｂサーバ（この場合はプログラムサーバ）から電送制御部２５を介して前記メモリ２２に読み込まれたＰＣ制御プログラム２２ａに応じて、回路各部の動作を制御するもので、前記メモリ２２に記憶されたＰＣ制御プログラム２２ａは、入力部２７からのユーザ操作信号あるいは電送制御部２５から通信ネットワーク（インターネット）Ｎを介して接続されるＷｅｂサーバ３０や通信部２６を介して接続されるユーザ携帯機器（電子辞書）１０などとの通信信号に応じて起動される。
【００５１】
前記ＣＰＵ２１には、前記メモリ２２、記録媒体読取部２４、電送制御部２５が接続される他に、通信部２６、入力部２７、ＬＣＤからなる表示部２８などが接続される。
【００５２】
そして、メモリ２２内のＰＣ制御プログラム２２ａとしては、当該ユーザＰＣ２０の全体の動作を司るシステムプログラム、電送制御部２５を介してインターネットＮ上の各Ｗｅｂサーバ（３０）とデータ通信したり、通信部２６を介して前記ユーザ携帯機器（電子辞書）１０などとデータ通信したりするための通信プログラムが記憶される他に、この通信部２６を介した携帯機器（電子辞書）１０とのアクセスに伴いＣＤ−ＲＯＭ（外部記録媒体２３）から読み込まれた追加辞書の情報を提供し、要求された追加の辞書データをダウンロードして転送するためのＰＣ用辞書追加処理プログラムなどが記憶される。
【００５３】
次に、前記構成の携帯機器（電子辞書）１０およびユーザＰＣ２０それぞれの動作について説明する。
【００５４】
図７は前記携帯機器（電子辞書）１０とユーザＰＣ２０との間で実施される辞書追加処理を示すフローチャートであり、同図（Ａ）は携帯機器（電子辞書）１０側の辞書追加処理を示すフローチャート、同図（Ｂ）はユーザＰＣ２０側の辞書追加処理を示すフローチャートである。
【００５５】
図８は前記携帯機器（電子辞書）１０での辞書追加処理に伴う表示動作を示す図であり、同図（Ａ）は「国語辞典」での見出し語入力画面Ｇ１を示す図、同図（Ｂ）は追加辞書選択画面Ｇ２を示す図である。
【００５６】
まず、追加の辞書データを記録したＣＤ−ＲＯＭ（２３）をユーザＰＣ２０のディスクドライブ（２４）にセットし、このユーザＰＣ２０から本携帯機器（電子辞書）１０に対して追加の辞書データをインストールする場合について説明する。
【００５７】
携帯機器（電子辞書）１０において、例えば図８（Ａ）に示すように、辞書指定キー「国語辞典」１７a1を操作すると、辞書キー位置テーブル１２ｄ（図３参照）にて対応付けられた「国語辞典」の辞書データに基づく見出し語入力画面Ｇ１が表示される。
【００５８】
ここで、「シフト」キー１７ｓと「ズーム」キー１７ｚ（シフト後は「通信」キー）の操作により通信開始が指示されると（ステップＡ１）、通信部１６からＵＳＢ（Universal Serial Bus）ケーブルによってユーザＰＣ２０との接続が検知され、当該ユーザＰＣ２０との通信接続処理が行われる（ステップＡ２）。
【００５９】
すると、内蔵辞書データメモリ１２ｃに記憶されている内蔵された各辞書データおよび追加辞書（ライブラリ）データメモリ１２ｈに既に追加されて記憶されている各辞書データが有る場合にはその追加の辞書データも含め、現在内蔵中の各辞書データのタイトルと追加辞書（ライブラリ）データメモリ１２ｈにおいて追加記憶可能な空き容量とがユーザＰＣ２０へ送信される（ステップＡ３）。
【００６０】
ユーザＰＣ２０において、前記携帯機器（電子辞書）１０からの接続が検知されると（ステップＢ１）、当該携帯機器（電子辞書）１０において送信された現在内蔵中の各辞書データのタイトルと追加記憶可能なメモリ空き容量とが受信され、メモリ２２内のワークエリア２２ｂに記憶される（ステップＢ２）。
【００６１】
すると、前記ＣＤ−ＲＯＭ（２３）から読み込まれる各種の追加の辞書データのうち、前記ワークエリア２２ｂに記憶されたアクセス中の携帯機器（電子辞書）１０の内蔵中の各辞書以外でそのメモリ空き容量に応じて追加可能な各辞書データのタイトルが、ＣＤ−ＲＯＭ（２３）から読み込まれる個々の追加用辞書データそれぞれの情報に基づき「国語辞書」「リ＊ダーズ」「英英辞書」「英和辞書」などの種類別に抽出される（ステップＢ３）。そして、前記携帯機器（電子辞書）１０における各内蔵辞書のタイトルと共に、前記抽出された各追加可能辞書のタイトルおよびその容量情報が携帯機器（電子辞書）１０へ送信される（ステップＢ４）。
【００６２】
携帯機器（電子辞書）１０では、前記ユーザＰＣ２０から送信された当該携帯機器１０の各内蔵辞書タイトル、そして各追加可能辞書のタイトルおよびその容量情報が受信されると、図８（Ｂ）に示すように、左エリアに現在内蔵中の種類別の辞書タイトル、右エリアに各追加可能辞書のタイトルを同種類別にそのデータ容量と共に表配列にした追加辞書選択画面Ｇ２が表示される（ステップＡ４）。
【００６３】
このように、追加辞書選択画面Ｇ２が表示部１８に表示された状態で、カーソルキー１７ｋおよび「訳／決定」キー１７ｙの操作により所望の追加可能辞書がユーザ選択されて指定され、反転表示などにより識別表示されると、この識別表示された追加対象辞書それぞれのデータ容量から、残りのメモリ空き容量（残容量）が計算され「残量」の欄に表示される（ステップＡ５）。
【００６４】
そして、ユーザ所望の追加の辞書が選択識別表示された状態で「訳／決定」キー１７ｙの操作により追加辞書の選択の決定が行われると、この選択決定された追加の辞書タイトルはユーザＰＣ２０へ送信され（ステップＡ６）、またこの選択された追加の辞書タイトルは、追加辞書（ライブラリ）位置テーブル１２ｇ（図６参照）の空きエリアに設定されて更新される（ステップＡ７）。
【００６５】
ユーザＰＣ２０において、前記携帯機器（電子辞書）１０から送信された追加要求の各種辞書タイトルが受信されると（ステップＢ５）、この携帯機器（電子辞書）１０からの追加要求に対応する各追加の辞書データがＣＤ−ＲＯＭ（２３）から読み出され、携帯機器（電子辞書）１０へ送信される（ステップＢ６）。
【００６６】
すると、携帯機器（電子辞書）１０では、前記ユーザＰＣ２０から送信された各追加の辞書データが受信され、前記ステップＡ７において設定された追加辞書（ライブラリ）位置テーブル１２ｇ（図６参照）における今回の各追加辞書のリンクに対応付けてメモリ１２内の追加辞書（ライブラリ）データメモリ１２ｈにインストールされる（ステップＡ８）。
【００６７】
なお、本実施形態において、携帯機器（電子辞書）１０の内蔵辞書データメモリ１２ｃには、例えば「国語辞典」「分野別国語辞典」「リ＊ダーズ」「英英辞典」「英和辞典」「和英辞典」「英語類語辞典」「漢和辞典」が各内蔵辞書として記憶されている。そして、辞書キー位置テーブル１２ｄには、図３で示したように、各辞書指定キー１７a1「国語」〜１７a5「和英」に対応した辞書として前記各内蔵辞書「国語辞典」「リ＊ダーズ」「英英辞典」「英和辞典」「和英辞典」が設定され、辞書キー（シフト後）位置テーブル１２ｅには、図４（Ａ）で示したように、シフトキー１７ｓ＋辞書指定キー「国語」（シフト後「分野別」）１７a1に対応した辞書として前記内蔵辞書「分野別国語辞典」が、シフトキー１７ｓ＋辞書指定キー「英和」（シフト後「英語類語」）１７a4に対応した辞書として前記内蔵辞書「英語類語辞典」が、シフトキー１７ｓ＋辞書指定キー「和英」（シフト後「漢和」）１７a5に対応した辞書として前記内蔵辞書「漢和辞典」がそれぞれ設定されている。
【００６８】
なお、シフトキー１７ｓ＋辞書指定キー「リ＊ダーズ」（シフト後「コンテンツ１」）１７a2およびシフトキー１７ｓ＋辞書指定キー「英英」（シフト後「コンテンツ２」）１７a3に対応した辞書については、後の追加辞書のキー位置設定のために予め未設定とされる。
【００６９】
さらに、メニュー位置テーブル１２ｆには、図５（Ａ）で示したように、メニューキー１７ｍにより表示される辞書メニューの配列として、前記各内蔵辞書「[A]国語辞典」〜「[H]漢和辞典」が設定されている。
【００７０】
そして、今回の辞書追加処理に伴う追加の辞書としては、「ジ＊ニアス和英辞典」「現代用語事典」「ロングマン・ロジェ」「全訳古語辞典」「百科事典」「アクテベータ」「ジ＊ニアス英和辞典」が選択指定されたものとする。
【００７１】
図９は前記携帯機器（電子辞書）１０の辞書追加処理の後にユーザ任意で行われる追加辞書のキー位置設定処理を示すフローチャートである。
【００７２】
図１０は前記携帯機器（電子辞書）１０の辞書追加処理に伴うキー位置設定処理での表示動作（その１）を示す図である。
【００７３】
図１１は前記携帯機器（電子辞書）１０の辞書追加処理に伴うキー位置設定処理での表示動作（その２）を示す図である。
【００７４】
まず、前記ＣＤ−ＲＯＭ（２３）からユーザＰＣ２０を介してインストールされた追加の各辞書を一覧表示させるために、「ライブラリ」キー（シフト１７ｓ＋メニュー１７ｍ）（図１３参照）が操作されると、図１０（Ａ）に示すように、追加辞書（ライブラリ）データメモリ１２ｈに追加記憶された各追加の辞書タイトル「[1]ジ＊ニアス和英辞典」「[2]現代用語事典」「[3]ロングマン・ロジェ」「[4]全訳古語辞典」「[5]百科事典」「[6]アクテベータ」「[7]ジ＊ニアス英和辞典」が読み出され、辞書選択ライブラリ画面Ｇ３として表示部１８に一覧表示される（ステップＣ１）。
【００７５】
この辞書選択ライブラリ画面Ｇ３にあって、カーソルキー１７ｋを操作して該ライブラリ画面Ｇ３上のカーソルＫを移動表示させ、今回のキー設定の対象とする追加の辞書タイトルを、例えば「[2]現代用語事典」として指定表示させると共に「設定」キー（シフト１７ｓ＋「削除」１７ｑ）を操作すると（ステップＣ２）、図１０（Ｂ）に示すように、当該辞書選択ライブラリ画面Ｇ３上に前記指定の追加辞書「[2]現代用語事典」について起動の設定先となるキーの選択入力をユーザに促すキー設定ガイドメッセージＷ１がウインドウ表示される（ステップＣ２′）。
【００７６】
ここで、前記指定の追加辞書「[2]現代用語事典」の起動設定先のキーとして、例えばシフト後の「リ＊ダーズ（コンテンツ１）」キー１２a2に対応付けるために、シフト１７ｓ＋「リ＊ダーズ（コンテンツ１）」キー１２a2を同時押し操作すると、図１０（Ｃ）に示すように、表示部１８に表示された辞書選択ライブラリ画面Ｇ３上には、前記キー設定ガイドメッセージＷ１に替わって、今回指定の追加辞書「[2]現代用語事典」の起動先を前記キー操作されたシフト１７ｓ＋「リ＊ダーズ（コンテンツ１）」キー１２a2に対応付けて設定することの確認をユーザに促すキー設定先確認メッセージＷ２がウインドウ表示される（ステップＣ３）。
【００７７】
そして、このキー設定先確認メッセージＷ２に応じて「訳／決定」キー１７ｙが操作されると、前記キー操作されたシフト１７ｓ＋「リ＊ダーズ（コンテンツ１）」キー１２a2が前記指定の追加辞書「[2]現代用語事典」を起動させるためのキー位置として設定され、図１１（Ｄ）に示すように、表示部１８に表示された辞書選択ライブラリ画面Ｇ３上には、前記キー設定先確認メッセージＷ２に替わって、その完了確認のためのキー設定完了確認メッセージＷ３がウインドウ表示される（ステップＣ４）。
【００７８】
つまりこの場合には、図４（Ｂ）で示したように、辞書キー（シフト後）位置テーブル１２ｅの「リ＊ダーズ（コンテンツ１）」（１７ｓ＋１７a2）に対して「現代用語事典」が対応付けられて設定される。
【００７９】
そして、前記キー設定完了確認メッセージＷ３（図１１（Ｄ）参照）のウインドウ表示状態にあって、ユーザの完了確認を意味する「訳／決定」キー１７ｙが操作されると、図１１（Ｅ）に示すように、再び前記辞書選択ライブラリ画面Ｇ３による各追加の辞書タイトル（[1]ジ＊ニアス和英辞典」〜「[7]ジ＊ニアス英和辞典」）の一覧表示状態に復帰し、続けて他の追加の辞書のキー位置設定を行うか否かの判断待ち状態となり（ステップＣ５）、繰り返しカーソルＫによる他の追加の辞書の選択指定表示と共に「設定」キー（シフト１７ｓ＋「削除」１７ｑ）が操作されると、前記ステップＣ２からの同様のキー位置設定処理が繰り返される（ステップＣ５→Ｃ２）。
【００８０】
そして、前記ステップＣ５において、「設定」キー（シフト１７ｓ＋「削除」１７ｑ）以外のキー操作が為された場合には、他の追加辞書のキー位置設定なしと判断され（ステップＣ５（ＮＯ））、キー操作に応じた処理に移行される一方で、今回キー設定された追加の辞書「現代用語事典」はさらに、図５（Ｂ）で示したように、メニュー位置テーブル１２ｆの空きエリアに対しても順に設定更新される（ステップＣ６）。
【００８１】
これにより、前記追加の辞書「現代用語事典」がキー位置設定されると共にメニュー位置設定された辞書キー（シフト後）テーブル１２ｅおよびメニュー位置テーブル１２ｆが更新されてメモリ１２にインストールされる（ステップＣ７）。
【００８２】
よってこの場合には、内蔵辞書データ（１２ｃ）を使用して検索を行う場合の取り扱いと同様に、入力部１７のシフト１７ｓ＋「リ＊ダーズ（コンテンツ１）」キー１２a2を操作するだけで、前記設定更新された辞書キー（シフト後）位置テーブル１２ｆ（図４（Ｂ）参照）に従い、追加辞書（ライブラリ）データメモリ１２ｈに追加記憶された「現代用語事典」の辞書データがダイレクトで起動され、図１１（Ｆ）に示すように、「現代用語事典」の辞書データに基づく見出し語入力画面Ｇ１が直ちに表示されるようになる。
【００８３】
また、前記キー位置設定を行った追加の辞書「現代用語事典」はメニュー位置テーブル１２ｆにも追加で設定されるので、「メニュー」キー１７ｍを操作して内蔵辞書データ（１２ｃ）の辞書タイトル一覧を表示させるようにした辞書選択メニュー画面Ｍにも同様に一覧表示され、本体内蔵辞書と同様に取り扱いできるようになる。
【００８４】
なお、前記追加辞書のキー位置設定処理において、ステップＣ２での追加辞書指定後の「設定」キー（シフト１７ｓ＋「削除」１７ｑ）の操作に応じて、図１０（Ｂ）で示したように、キー設定ガイドメッセージＷ１をウインドウ表示させる処理ステップＣ２′は、省略することもできる。
【００８５】
図１２は前記携帯機器（電子辞書）１０による辞書表示処理を示すフローチャートである。
【００８６】
図１３は前記携帯機器（電子辞書）１０での辞書表示処理に伴う追加辞書キー位置設定前後の各辞書呼び出しのためのキー位置状態を対比して示す図であり、同図（Ａ）は追加辞書キー位置設定前の各辞書キー位置状態を示す図、同図（Ｂ）は追加辞書キー位置設定後の各辞書キー位置状態を示す図である。
【００８７】
図１４は前記携帯機器（電子辞書）１０での辞書表示処理に伴う追加辞書キー位置設定前後の辞書選択メニュー画面Ｍを対比して示す図であり、同図（Ａ）は追加辞書キー位置設定前の辞書選択メニュー画面Ｍを示す図、同図（Ｂ）は追加辞書キー位置設定後の辞書選択メニュー画面Ｍを示す図である。
【００８８】
辞書データを使用した各種用語の訳語検索や内容検索などを行う場合に、辞書表示処理が起動されると、追加辞書（ライブラリ）データメモリ１２ｈ内に追加の辞書データがインストールされて記憶されているか否か、つまり追加の辞書が有るか否か判断される（ステップＤ１）。
【００８９】
ここで、追加の辞書無しと判断された場合には、通常の辞書表示処理に移行され、辞書指定キー１７anやメニューキー１７ｍの操作に応じて辞書キー位置テーブル１２ｄ（図３参照）やメニュー位置テーブル１２ｆ（図５（Ａ）参照）が参照され、内蔵辞書データメモリ１２ｃに記憶されている各種内蔵辞書の中の所望の種類の辞書データが呼び出され、検索対象である見出し語の入力表示状態となる。
【００９０】
例えば図１３（Ａ）の(1)に示すように、内蔵辞書データ１２ｃとして「国語（シフト後）：国語辞典（分野別国語辞典）」「リ＊ダーズ（シフト後）：リ＊ダーズ（コンテンツ１（未設定））」「英英（シフト後）：英英辞典（コンテンツ２（未設定））」「英和（シフト後）：英和辞典（英語類語辞典）」「和英（シフト後）：和英辞典（漢和辞典）」が予め記憶されている追加辞書インストール前の携帯機器（電子辞書）１０にあっては、所望の種類表記の辞書指定キー１７anあるいはシフト１７ｓ＋辞書指定キー１７anを操作することで、辞書キー位置テーブル１２ｄ（図３参照）や辞書キー（シフト後）位置テーブル１２ｅ（図４（Ａ）参照）に従って当該指定の種類の前記内蔵辞書データが読み出され、当該辞書の種類に応じた見出し語入力画面Ｇ１の表示状態となる。
【００９１】
そして、図１３（Ａ）の(2)に示すように、シフトキー１７ｓを操作すると各辞書指定キー１７anそれぞれの位置に対応したエリアを有するシフト後辞書メニューＨｓが表示部１８の下段に沿って表示される。
【００９２】
この追加辞書インストール前のシフト後辞書メニューＨｓでは、辞書キー（シフト後）位置テーブル１２ｅ（図４（Ａ）参照）に従って、辞書指定キー「国語事典」１７a1に沿ったパネル表記「分野別」に対応するエリアには「分野別」、辞書指定キー「英和」１７a4に沿ったパネル表記「英語類語」に対応するエリアには「英語類語」、辞書指定キー「和英」１７a5に沿ったパネル表記「漢和」に対応するエリアには「漢和」と表示されるもので、「シフト」キー１７ｓ＋辞書指定キー「国語」１７a1の操作によって内蔵辞書データ「分野別国語辞典」が読み出されその見出し語入力画面の表示状態となり、「シフト」キー１７ｓ＋辞書指定キー「英和」１７a4の操作によって内蔵辞書データ「英語類語辞典」が読み出されその見出し語入力画面の表示状態となり、「シフト」キー１７ｓ＋辞書指定キー「和英」１７a5の操作によって内蔵辞書データ「漢和辞典」が読み出されその見出し語入力画面の表示状態となる。
【００９３】
また、メニューキー１７ｍを操作すると、図１４（Ａ）に示すように、メニュー位置テーブル１２ｆ（図５（Ａ）参照）に従った順序で各内蔵辞書のタイトルが配列された辞書選択メニュー画面Ｍが表示される。そして、この辞書選択メニュー画面Ｍにおいて、カーソルキー１７ｋを操作して所望の辞書タイトルを指定することで、当該指定の内蔵辞書データが読み出されて見出し語入力画面Ｇ１の表示状態となる。
【００９４】
なお、前記追加の辞書なしと判断される場合でも、「メニュー」キー１７ｍに沿ったパネル表記「ライブラリ」に対応するエリアには「ライブラリ」と表示され、「シフト」キー１７ｓ＋「メニュー」キー１７ｍの操作によって辞書選択ライブラリ画面Ｇ３（図１０（Ａ）参照）の表示状態となるが、この場合には当該辞書選択ライブラリ画面Ｇ３には何の追加の辞書タイトルも表示されない空欄のみの表記状態となる。
【００９５】
一方、前記ステップＤ１において、追加辞書（ライブラリ）データメモリ１２ｈ内に追加の辞書データがインストールされて記憶されていると判断された場合には、ライブラリキー（シフト１７ｓ＋メニュー１７ｍ）の操作検出状態であるか（ステップＤ２(YES)）、メニューキー１７ｍの操作検出状態であるか（ステップＤ３(YES)）、またはシフトキー１７ｓの操作検出状態であるか（ステップＤ４(YES)）が判断される。
【００９６】
ここで、前記ライブラリキー（シフト１７ｓ＋メニュー１７ｍ）、メニューキー１７ｍ、およびシフトキー１７ｓの何れのキー検出も無いと判断されると、図１３（Ｂ）の(1)に示すように、辞書キー位置テーブル１２ｄ（図３参照）に従い各辞書指定キー１７anそれぞれの位置に対応した種類の内蔵辞書タイトルの表示エリアを有する辞書メニューＨが表示部１８の下段に沿って表示される（ステップＤ２→Ｄ３→Ｄ４→Ｄ５）。
【００９７】
ここで、例えば辞書指定キー「国語」１７a1を操作すると、当該辞書指定キー「国語」１７a1の操作位置に対応するところの辞書メニューＨ上に表示されている内蔵辞書の辞書データ「国語辞典」が読み出され、その見出し語入力画面Ｇ１の表示状態となる（ステップＤ８→Ｄ９）。
【００９８】
また、追加の辞書がインストールされている場合に、シフトキー１７ｓの操作が検知判断された場合には、図１３（Ｂ）の(2)に示すように、辞書キー（シフト後）位置テーブル１２ｅ（図４（Ｂ）参照）に従い各辞書指定キー１７anそれぞれの位置に対応した種類の辞書タイトルの表示エリアを有するシフト後辞書メニューＨｓが表示部１８の下段に沿って表示される（ステップＤ４→Ｄ１０）。
【００９９】
このシフト後辞書メニューＨｓの表示に合わせて、例えば辞書指定キー「リ＊ダーズ」１７a2を操作すると、当該辞書指定キー「リ＊ダーズ」１７a2の操作位置に対応するところのシフト後辞書メニューＨｓ上に表示されている追加辞書の辞書データ「現代用語事典」が読出され、その見出し語入力画面Ｇ１（図１１（Ｆ）参照）の表示状態となる（ステップＤ１３→Ｄ１４）。
【０１００】
また、追加の辞書がインストールされている場合に、メニューキー１７ｍの操作が検知判断された場合には（ステップＤ３／Ｄ７／Ｄ１２／Ｄ２０）、図１４（Ｂ）に示すように、追加辞書によるキー位置設定後のメニュー位置テーブル１２ｆ（図５（Ｂ）参照）に従った順序で各内蔵辞書および追加辞書のタイトルが配列された辞書選択メニュー画面Ｍが表示される（ステップＤ１５）。
【０１０１】
そして、この辞書選択メニュー画面Ｍにおいて、カーソルキー１７ｋを操作して所望の辞書タイトルを選択指定することで、当該指定の辞書データが読み出されて見出し語入力画面Ｇ１の表示状態となる（ステップＤ１７→Ｄ１８）。
【０１０２】
さらに、追加の辞書がインストールされている場合に、ライブラリキー（シフト１７ｓ＋メニュー１７ｍ）の操作が検知判断された場合には（ステップＤ２／Ｄ６／Ｄ１１／Ｄ１６）、追加辞書（ライブラリ）位置テーブル１２ｇ（図６参照）に従った順序で、図１０（Ａ）で示したように、各追加辞書のタイトルが配列された辞書選択ライブラリ画面Ｇ３が表示される（ステップＤ１９）。
【０１０３】
そして、この辞書選択ライブラリ画面Ｇ３において、カーソルキー１７ｋを操作して所望の辞書タイトルを選択指定することで、当該指定の追加の辞書データが読み出されて見出し語入力画面Ｇ１の表示状態となる（ステップＤ２１→Ｅ２２）。
【０１０４】
そして、前記辞書指定キー１７anの直接操作に応じた内蔵辞書データの読出し起動に伴う見出し語入力画面Ｇ１、または前記シフトキー１７ｓ操作後の辞書指定キー１７anの操作に応じた内蔵あるいは追加の辞書データの読出し起動に伴う見出し語入力画面Ｇ１、または辞書選択メニュー画面Ｍ上での選択操作に応じた内蔵あるいは追加の辞書データの読出し起動に伴う見出し語入力画面Ｇ１、または辞書選択ライブラリ画面Ｇ３上での選択操作に応じた追加の辞書データの読出し起動に伴う見出し語入力画面Ｇ１において、検索対象となる見出し語を文字入力すると（ステップＤ２３）、これにより入力された見出し語の文字列が前記起動された内蔵あるいは追加の辞書データから検索され、その見出し語に対応する訳語や意味内容等の対応情報が表示される（ステップＤ２４）。
【０１０５】
この場合、前記各内蔵の辞書データ１２ｃを辞書指定キー１７anやシフトキー１７ｓ，メニューキー１７ｍを使用して選択的に呼び出して辞書検索処理を行う場合と、キー位置設定（図９〜図１１参照）を行った追加の辞書データ１２ｈ（この場合は「現代用語事典」）を同辞書指定キー１７anやシフトキー１７ｓ，メニューキー１７ｍを使用して選択的に呼び出して辞書検索処理を行う場合とで、そのキー操作の手順ややり方は全く変わらず、追加辞書のインストール後であっても、簡単なキー位置設定を行うことで、同インストール前と同じ使い勝手で、所望の辞書データを使用した検索処理が行えるようになる。
【０１０６】
したがって、前記構成の携帯機器（電子辞書）１０における追加辞書のキー位置設定機能によれば、例えばＣＤ−ＲＯＭ（２３）に記録されている複数の追加の辞書データをユーザＰＣ２０を介して本携帯機器（電子辞書）１０にインストールし追加辞書（ライブラリ）データメモリ１２ｈに記憶させた状態で、ライブラリキー（シフト１７ｓ＋メニュー１７ｍ）の操作により各追加の辞書データを辞書選択ライブラリ画面Ｇ３として一覧表示させる。そして、キー位置設定すべき所望の追加の辞書タイトル（例えば「[2]現代用語事典」）をカーソルＫにより選択指定して設定キー（シフト１７ｓ＋削除１７ｑ）を操作し、当該指定の追加辞書「現代用語事典」の起動キーとすべき所望のキー（例えばシフト１７ｓ＋「リーダーズ（コンテンツ１）」１７a2）を操作すると、辞書キー（シフト後）位置テーブル１２ｅ（図４（Ｂ）参照）の該辞書指定キー「リ＊ダーズ（コンテンツ１）」１７a2に対応した起動の辞書として前記指定の追加辞書「現代用語事典」がキー位置設定されるので、このような簡単なキー位置設定操作を行うだけでシフト１７ｓ＋辞書指定キー１７anで行う内蔵辞書の起動と同様に追加の辞書も起動させて利用することができるようになる。
【０１０７】
また、前記構成の携帯機器（電子辞書）１０における追加辞書のキー位置設定機能によれば、前記追加でインストールした各追加の辞書データのうちユーザ指定の追加辞書（この場合は「現代用語事典」）について所望の辞書指定キー位置（シフト１７ｓ＋「リーダーズ（コンテンツ１）」１７a2）に設定した場合には、これと共に当該指定の追加辞書はメニュー位置テーブル１２ｆ（図５（Ｂ）参照）の空きエリアにも追加で設定されるので、「メニュー」キー１７ｍの操作によって辞書選択メニュー画面Ｍ上で行う内蔵辞書の選択起動と同様に追加の辞書も選択起動させて利用することができるようになる。
【０１０８】
また、前記構成の携帯機器（電子辞書）１０によれば、シフトキー１７ｓが操作されていない状態では、各辞書指定キー１７a1〜１７a5それぞれのキー位置に対応した表示画面（１８）の下段に沿って、当該各辞書指定キー１７anによって起動される内蔵辞書タイトルの表示エリアを有する辞書メニューＨを表示させ、さらに、シフトキー１７ｓが操作された状態では、同各辞書指定キー１７a1〜１７a5に対応した表示画面（１８）の下段に沿って、シフトキー１７ｓ＋該各辞書指定キー１７anによって起動される内蔵および追加の辞書タイトルの表示エリアを有するシフト後辞書メニューＨｓを表示させるので、各辞書指定キー１７a1〜１７a5のダイレクト操作により所望の内蔵辞書を選択起動させる場合、および「シフト」キー１７ｓを併用した各辞書指定キー１７a1〜１７a5の操作により所望の内蔵辞書あるいはキー位置設定した追加の辞書を選択起動させる場合の何れの場合でも、当該各辞書指定キー１７a1〜１７a5に対応付けられた辞書データのタイトルを容易に確認できるようになる。
【０１０９】
なお、前記実施形態では、ＣＤ−ＲＯＭ（２３）に記録されている各追加の辞書データをユーザＰＣ２０により読み出し、本携帯機器（電子辞書）１０に通信接続して選択的にインストールする構成としたが、携帯機器（電子辞書）１０からインターネットＮ上の辞書管理サーバ３０へ直接アクセスしてダウンロードによって追加の辞書データを選択的に取り込む構成としてもよい。
【０１１０】
前記実施形態における携帯機器（電子辞書）１０をＰＤＡや携帯電話で実現する場合は、電子辞書モードにおいて、予めキー印刷された辞書キー以外、例えばテンキー（０〜９）に対して指定の追加の辞書をキー位置設定する構成とすればよい。
【０１１１】
なお、前記各実施形態において記載した携帯機器（電子辞書）１０およびユーザＰＣ２０による各処理の手法、すなわち、図７のフローチャートに示す辞書追加処理、図９のフローチャートに示す追加辞書のキー位置設定処理、図１２のフローチャートに示す辞書表示処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３（２３）に格納して配布することができる。そして、通信ネットワーク（インターネット）Ｎとの通信機能を備えた種々のコンピュータ端末は、この外部記録媒体１３（２３）に記憶されたプログラムを記録媒体読取部１４（２４）によってメモリ１２（２２）に読み込み、この読み込んだプログラムによって動作が制御されることにより、前記実施形態において説明した辞書追加機能および追加辞書のキー位置設定機能を実現し、前述した手法による同様の処理を実行することができる。
【０１１２】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）から前記のプログラムデータを取り込み、前述した辞書追加機能および追加辞書のキー位置設定機能を実現することもできる。
【０１１３】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１１４】
【図１】本発明の情報表示制御装置の実施形態に係る携帯機器（電子辞書）１０の電子回路の構成を示すブロック図。
【図２】前記携帯機器（電子辞書）１０での辞書追加処理に伴い通信部１６介してアクセスされるユーザＰＣ２０の電子回路の構成を示すブロック図。
【図３】前記携帯機器（電子辞書）１０のメモリ１２にて管理される辞書キー位置テーブル１２ｄの一例を示す図。
【図４】前記携帯機器（電子辞書）１０のメモリ１２にて管理される辞書キー（シフト後）位置テーブル１２ｅの一例を示す図であり、同図（Ａ）は追加の辞書が無い状態でのシフト後位置テーブル１２ｅを示す図、同図（Ｂ）は追加の辞書が有る状態でのシフト後位置テーブル１２ｅを示す図。
【図５】前記携帯機器（電子辞書）１０のメモリ１２にて管理されるメニュー位置テーブル１２ｆの一例を示す図であり、同図（Ａ）は追加の辞書が無い状態でのメニュー位置テーブル１２ｆを示す図、同図（Ｂ）は追加の辞書が有る状態でのメニュー位置テーブル１２ｆを示す図。
【図６】前記携帯機器（電子辞書）１０のメモリ１２にて管理される追加辞書（ライブラリ）位置テーブル１２ｇの一例を示す図。
【図７】前記携帯機器（電子辞書）１０とユーザＰＣ２０との間で実施される辞書追加処理を示すフローチャートであり、同図（Ａ）は携帯機器（電子辞書）１０側の辞書追加処理を示すフローチャート、同図（Ｂ）はユーザＰＣ２０側の辞書追加処理を示すフローチャート。
【図８】前記携帯機器（電子辞書）１０での辞書追加処理に伴う表示動作を示す図であり、同図（Ａ）は「国語辞典」での見出し語入力画面Ｇ１を示す図、同図（Ｂ）は追加辞書選択画面Ｇ２を示す図。
【図９】前記携帯機器（電子辞書）１０の辞書追加処理の後にユーザ任意で行われる追加辞書のキー位置設定処理を示すフローチャートである。
【図１０】前記携帯機器（電子辞書）１０の辞書追加処理に伴うキー位置設定処理での表示動作（その１）を示す図。
【図１１】前記携帯機器（電子辞書）１０の辞書追加処理に伴うキー位置設定処理での表示動作（その２）を示す図。
【図１２】前記携帯機器（電子辞書）１０による辞書表示処理を示すフローチャート。
【図１３】前記携帯機器（電子辞書）１０での辞書表示処理に伴う追加辞書キー位置設定前後の各辞書呼び出しのためのキー位置状態を対比して示す図であり、同図（Ａ）は追加辞書キー位置設定前の各辞書キー位置状態を示す図、同図（Ｂ）は追加辞書キー位置設定後の各辞書キー位置状態を示す図。
【図１４】前記携帯機器（電子辞書）１０での辞書表示処理に伴う追加辞書キー位置設定前後の辞書選択メニュー画面Ｍを対比して示す図であり、同図（Ａ）は追加辞書キー位置設定前の辞書選択メニュー画面Ｍを示す図、同図（Ｂ）は追加辞書キー位置設定後の辞書選択メニュー画面Ｍを示す図。
【符号の説明】
【０１１５】
１０  …携帯機器（電子辞書）
２０  …ユーザＰＣ
１１、２１…ＣＰＵ
１２、２２…メモリ
１２ａ…辞書追加プログラム
１２ｂ…辞書検索プログラム
１２ｃ…内蔵辞書データメモリ
１２ｄ…辞書キー位置テーブル
１２ｅ…辞書キー（シフト後）位置テーブル
１２ｆ…メニュー位置テーブル
１２ｇ…追加辞書（ライブラリ）位置テーブル
１２ｈ…追加辞書（ライブラリ）データメモリ
１２ｉ…ワークエリア
１２ｊ…電子辞書追加情報メモリ
２２ａ…ＰＣ制御プログラム
２２ｂ…ワークエリア
１３、２３…外部記録媒体
１４、２４…記録媒体読取部
１５、２５…電送制御部
１６、２６…通信部
１７、２７…入力部
１７an…辞書指定キー
１７ｓ…「シフト」キー
１７ｍ…「メニュー（ライブラリ）」キー
１７ｑ…「削除（設定）」キー
１７ｙ…「訳／決定」キー
１７ｑ…「削除（設定）」キー
１８、２８…表示部
３０  …辞書管理サーバ
Ｎ  …通信ネットワーク（インターネット）
Ｈ  …辞書メニュー
Ｈｓ…シフト後辞書メニュー
【図１】
2006099413.tif 000003
【図２】
2006099413.tif 000004
【図３】
2006099413.tif 000005
【図４】
2006099413.tif 000006
【図５】
2006099413.tif 000007
【図６】
2006099413.tif 000008
【図７】
2006099413.tif 000009
【図８】
2006099413.tif 000010
【図９】
2006099413.tif 000011
【図１０】
2006099413.tif 000012
【図１１】
2006099413.tif 000013
【図１２】
2006099413.tif 000014
【図１３】
2006099413.tif 000015
【図１４】
2006099413.tif 000016